(57)【特許請求の範囲】
【請求項１】
本体の吹出口に接続される本体側接続口と、この本体側接続口とダクトの接続されるダクト側接続口との間に設けられる筒状のシャッター取付部と、このシャッター取付部内に嵌挿し、外風防止用シャッターを取り付けるシャッター取付部材とを備え、前記シャッター取付部材の外周部の放射位置に外方に突出勝手に設けられる複数の係合部と、この係合部が係合するように前記シャッター取付部に設けた係合手段とからなり、前記係合手段に係合孔を設けたダクト接続部材であって、この係合孔に対応し、略水平線上で合致するようにダクトをダクト側接続口に取り付けるために設けられるねじの螺合孔を設けたダクト接続部材。
【請求項２】
ダクトをダクト側接続口に取り付けるために設けられるねじの螺合孔の位置を示すようにシャッター取付部に設けられる係合孔を他の係合孔と区別できる異形に形成した請求項１記載のダクト接続部材。
【発明の詳細な説明】
【０００１】
【発明の属する技術分野】
本発明は、換気装置の本体と、屋外と連通するダクトを接続する外風防止用シャッターを設けたダクト接続部材に関する。
【０００２】
【従来の技術】
近年、換気装置の本体を天井に設け、ダクトを用い屋外と連通するように本体側とダクト側を外風防止用シャッターを設けたダクト接続部材で接続することが普及している。
【０００３】
従来、この種のダクト接続部材の一例として図８および図９に示すものが知られていた。以下、その構成について図８および図９を参照しながら説明する。
【０００４】
図に示すように、本体側に接続される本体側接続口１０１と、ダクト側接続口１０２との間に設けられる筒状のシャッター取付部１０３と、シャッター取付部１０３に嵌合して外風防止用シャッター１０４を取り付ける筒状のシャッター取付部材１０５とを設け、シャッター取付部１０３の外周の略対向位置の２箇所に内方に突出する突出部１０６を設け、シャッター取付部材１０５にはシャッター取付部１０３に設けた突出部１０６が係合する係合孔１０７を設け、シャッター取付部材１０５をシャッター取付部１０３内に嵌合するときに、シャッター取付部１０３に設けた突出部１０６をシャッター取付部材１０５の係合孔１０７に係合させて取り付けていた。
【０００５】
【発明が解決しようとする課題】
このような従来のダクト接続部材では、シャッター取付部１０３および、シャッター取付部材１０５が真円でないと嵌合がうまくいかず取り付けができないという課題があり、シャッター取付部が真円でなくてもシャッター取付部材を取り付けられるようにすることが要求されている。
【０００６】
また、突出部１０６と係合孔１０７は略対向位置に２箇所設けて取り付けていたので安定性が悪いという課題があり、安定した取り付けができるようにすることが要求されている。
【０００７】
また、ダクト側接続口１０２はダクト（図示せず）を支持する取付ねじの螺合するねじ孔がないため現場において加工する必要があり手間がかかるとともに、取付ねじの位置が悪いと外風防止用シャッター１０４に当接し、外風防止用シャッター１０４の開閉不良をおこすという課題があり、現場において加工する必要がなく、外風防止用シャッターの開閉不良を発生させないようにすることが要求されている。
【０００８】
本発明は上記課題を解決するもので、シャッター取付部が真円でなくてもシャッター取付部材の取り付けが容易で、安定した取り付けができるダクト接続部材を提供することを目的とする。
【０００９】
【課題を解決するための手段】
本発明のダクト接続部材においては、本体の吹出口に接続される本体側接続口と、この本体側接続口とダクトの接続されるダクト側接続口との間に設けられる筒状のシャッター取付部と、このシャッター取付部内に嵌挿し、外風防止用シャッターを取り付けるシャッター取付部材とを備え、前記シャッター取付部材の外周部の放射位置に外方に突出勝手に設けられる複数の係合部と、この係合部が係合するように前記シャッター取付部に設けた係合手段とからなり、前記係合手段に係合孔を設けたダクト接続部材であって、この係合孔に対応し、略水平線上で合致するようにダクトをダクト側接続口に取り付けるために設けられるねじの螺合孔を設けたものである。
【００１０】
この本発明によれば、シャッター取付部が真円でなくても、シャッター取付部材の取り付けが容易で安定した取り付けができるとともに、ダクト接続時において、ダクトのねじ止め部を指示することにより、ねじの先端で外風防止用シャッターが開閉不良になることを防止できるダクト接続部材を提供することができる。
【００１１】
【発明の実施の形態】
本発明の請求項１に記載の発明は、本体の吹出口に接続される本体側接続口と、この本体側接続口とダクトの接続されるダクト側接続口との間に設けられる筒状のシャッター取付部と、このシャッター取付部内に嵌挿し、外風防止用シャッターを取り付けるシャッター取付部材とを備え、前記シャッター取付部材の外周部の放射位置に外方に突出勝手に設けられる複数の係合部と、この係合部が係合するように前記シャッター取付部に設けた係合手段とからなり、前記係合手段に係合孔を設けたダクト接続部材であって、この係合孔に対応し、略水平線上で合致するようにダクトをダクト側接続口に取り付けるために設けられるねじの螺合孔を設けたものであり、シャッター取付部が真円でなくてもシャッター取付部材に設けた外方に突出勝手の係合部により調整されて取り付けられるとともに、係合部が係合する係合手段を放射位置に複数設けることにより、シャッター取付部材を安定した状態で、シャッター取付部に取り付けることができるとともに、ダクト側接続口にダクトを嵌挿したときには、ダクト側接続口に設けた螺合孔が見えない状態になってもシャッター取付部に設けた係合孔と同一線上に螺合孔があるため、ダクトの挿入孔を係合孔と同一線上になるように合わせることによりねじを挿入孔より挿入し螺合孔に螺合してダクトを取り付けることができ、また、ねじの先端がダクト側接続口内に突出しても外風防止用シャッターの開閉不良を起こすことはないという作用を有する。
【００１２】
以下、本発明の実施の形態について図１〜図７を参照しながら説明する。
【００１３】
（実施の形態１）
図１〜図４に示すように、本体１の吹出口２に接続される本体側接続口３とダクト４の接続されるダクト側接続口５との間に設けられる筒状のシャッター取付部６と、シャッター取付部６内に嵌挿し、外風防止用シャッター７を取り付けるシャッター取付部材８とを設け、シャッター取付部材８の外周部の端部に切り込み９を設け、外方に突出勝手の舌片部１０に設けられる係合部１１を放射位置に複数設け、係合部１１が係合するようにシャッター取付部６の放射位置に２箇所設けられる係合孔１２および１箇所に設けられる打抜突部１３とからなる係合手段１４を設けた構成とする。
【００１４】
上記構成において、シャッター取付部６に設けた係合手段１４の係合孔１２および打抜突部１３にシャッター取付部材８に設けた係合部１１を合わせ舌片部１０の外方に突出勝手の弾性に抗してシャッター部材８を押し込むと、シャッター取付部６に設けた係合孔１２および打抜突部１３からなる係合手段１４にシャッター取付部材８に設けた係合部１１が係合してシャッター取付部材８が取り付けられる。
【００１５】
このとき、シャッター取付部６が真円でなく少し変形していてもシャッター取付部材８の外方に突出勝手の係合部１１がシャッター取付部６の係合手段１４に取り付けられる。また、係合は放射位置の複数箇所で行われることにより安定した状態でシャッター取付部材８が取り付けられることとなる。
【００１６】
このように本発明の実施の形態１のダクト接続部材によれば、本体１の吹出口２に接続される本体側接続口３と、本体側接続口３とダクト４の接続されるダクト側接続口５との間に設けられる筒状のシャッター取付部６と、シャッター取付部６内に嵌挿し、外風防止用シャッター７を取り付ける筒状のシャッター取付部材８とを備え、シャッター取付部材８の外周部に外方に突出勝手に設けられる係合部１１と、係合部１１が係合するようにシャッター取付部６に設けた係合孔１２および打抜突部１３からなる係合手段１４とを放射位置に複数設けたので、シャッター取付部６が真円ではなくひずみがあってもシャッター取付部材８を取り付けることができるとともに、係合手段１４を放射位置に設けて係合部１１を係合することにより安定した状態にシャッター取付部材８を取り付けることができる。
【００１７】
なお、実施の形態１においては、打抜突部１３を先に形成した状態で、係合部１１に係合することとして説明したが、２箇所の係合孔１２に係合部１１を係合した状態で後から打抜突部１３を形成して打抜突部１３を残りの係合部１１に係合するようにしても同一作用効果をもたらすことはいうまでもない。
【００１８】
（実施の形態２）
図５に示すように、シャッター取付部６Ａに設けられる係合手段１４Ａを形成する係合孔１２Ａをホームベース状等の異形に形成し、シャッター取付部材８Ａに設けられる係合部１１Ａを異形の係合孔１２Ａに係合するように形成し、シャッター取付部材８Ａに設けられる外風防止用シャッター７Ａが正規の位置にセットできる構成とする。
【００１９】
上記構成において、シャッター取付部６Ａにシャッター取付部材８Ａを取り付けるときには、シャッター取付部６Ａに設けた異形の係合孔１２Ａにシャッター取付部材８Ａの異形の係合部１１Ａと合致させて取り付けることにより、シャッター取付部材８Ａに設けられている外風防止用シャッター７Ａが上下逆になったりすることなく正規な位置に取り付けられることとなる。
【００２０】
このように本発明の実施の形態２のダクト接続部材によれば、シャッター取付部６Ａに設けられる係合手段１４Ａを形成する係合孔１２Ａをホームベース状等の異形に形成し、シャッター取付部材８Ａに設けられる係合部１１Ａを異形の係合孔１２Ａに係合するように形成し、シャッター取付部材８Ａに設けられる外風防止用シャッター７Ａが正規の位置にセットできる構成としたので、シャッター取付部６Ａの異形の係合孔１２Ａにシャッター取付部材８Ａの異形の係合部１１Ａを合致させることにより外風防止用シャッター７Ａが逆方向にセットされることなく正規の位置にセットすることができ、便利となるとともに、異形の係合孔１２Ａに対し、係合手段１４Ａの打抜突部１３を係合したり、打抜突部１３に異形の係合部１１Ａを係合したりすることができないので、外風防止用シャッター７Ａを必ず正規の位置に設けることができる。
【００２１】
（実施の形態３）
図６および図７に示すように、シャッター取付部６Ｂに設けられる係合孔１２Ｂに対応し、略水平線上で合致するようにダクト４Ａをダクト側接続口５Ａに取り付けるために設けられるねじ１５の螺合孔１６を設け、ねじ１５の螺合孔１６の位置を示すようにシャッター取付部６Ｂに設けられる係合孔１２Ｂを、他の打抜突部１３と区別できる異形に形成し、ダクト４Ａには、ダクト側接続口５Ａに設けた螺合孔１６と合致する位置にねじ１５の挿入孔１７を設け構成する。
【００２２】
上記構成において、ダクト４Ａをダクト側接続口５Ａに接続するときには、ダクト側接続口５Ａに設けたねじ１５の螺合孔１６がシャッター取付部６Ｂに設けた異形の係合孔１２Ｂと同一水平線上に配設されていることにより、ダクト側接続口５Ａに接続するダクト４Ａに設けられた挿入孔７の位置を、シャッター取付部６Ｂに設けた異形の係合孔１２Ｂと合わせるようにすることにより、ダクト４Ａに設けた挿入孔１７をダクト側接続口５Ａに形成したねじ１５の螺合孔１６に合致し、ねじ１５を挿入孔１７より挿入し、螺合孔１６に螺合してダクト４Ａが取り付けられることとなる。
【００２３】
このように本発明の実施の形態３のダクト接続部材によれば、シャッター取付部６Ｂに設けられる係合孔１２Ｂに対応し、略水平線上で合致するようにダクト４Ａをダクト側接続口５Ａに取り付けるために設けられるねじ１５の螺合孔１６を設けたので、ダクト側接続口５Ａにダクト４Ａを嵌挿したときには、ダクト側接続口５Ａに設けた螺合孔１６が見えない状態になってもシャッター取付部６Ｂに設けた係合孔１２Ｂと同一線上に螺合孔１６があるため、ダクト４Ａの挿入孔１７を係合孔１２Ｂと同一線上になるように合わせることによりねじ１５を挿入孔１７より挿入し螺合孔１６に螺合してダクト４Ａを取り付けることができ、また、ねじ１５の先端がダクト側接続口５Ａ内に突出しても外風防止用シャッター７Ａの開閉不良を起こすことはない。
【００２４】
また、ダクト４Ａをダクト側接続口５Ａに取り付けるために設けられるねじ１５の螺合孔１６の位置を示すように、シャッター取付部６Ｂに設けられる係合孔１２Ｂを他の打抜突部１３とは区別できる異形に形成したので、ダクト４Ａの接続時にダクト４Ａに設けた挿入孔１７を合わせる位置が異形の係合孔１２Ｂによりすばやく判明し、ダクト４Ａの接続が容易となる。
【００２５】
なお、実施の形態３のダクト接続部材においては、ねじ１５の螺合孔１６を１箇所で説明したが、２箇所以上にしても良いことはいうまでもない。
【００２６】
また、係合孔１２Ｂをねじ１５の螺合孔１６と合致させることとしたが、係合孔１２Ｂに変えて目印を付けても同一作用効果をもたらすことはいうまでもない。
【００２７】
【発明の効果】
以上の実施の形態から明らかなように、本発明によれば、本体の吹出口に接続される本体側接続口と、この本体側接続口とダクトの接続されるダクト側接続口との間に設けられる筒状のシャッター取付部と、このシャッター取付部に嵌挿し外風防止用シャッターを取り付けるシャッター取付部材とを備え、前記シャッター取付部材の外周部の放射位置に外方に突出勝手に設けられる複数の係合部と、この係合部が係合するように前記シャッター取付部に設けた係合手段とからなる構成としたので、シャッター取付部の内径の円筒形状が真円でなくても、ダクト接続部材を介して外風防止用シャッターを確実に取り付けることができるダクト接続部材を提供できる。
【００２８】
また、シャッター取付部に設けられる係合手段を形成する係合孔を異形に形成し、シャッター取付部材に設けられる係合部を前記異形の係合孔に係合するよう形成したので、シャッター取付部材装着時の位置を規制することが可能となり、外風防止用シャッターを確実な方向に装着することができる。
【００２９】
また、シャッター取付部に設けられる係合孔に対応し、略水平線上で合致するように、ダクトをダクト側接続口に取り付けるために設けられるねじの螺合孔を設けたので、ダクト接続時において、ダクトのねじ止め部を指示することにより、ねじの先端で外風防止用シャッターが開閉不良になることを防止できる。
【００３０】
また、ダクトをダクト側接続口に取り付けるために設けられるねじの螺合孔の位置を示すように、シャッター取付部に設けられる係合孔を他の係合孔と区別できる異形に形成したので、ダクトの接続を容易にすることができる。
【図面の簡単な説明】
【図１】本発明の実施の形態１のダクト接続部材の分解斜視図
【図２】同ダクト接続部材の正面図
【図３】同ダクト接続部材の上半分を示す断面図
【図４】同ダクト接続部材により本体を設置した状態を示す側面図
【図５】本発明の実施の形態２のダクト接続部材の分解斜視図
【図６】本発明の実施の形態３のダクト接続部材の分解斜視図
【図７】同ダクト接続部材の側面図
【図８】従来のダクト接続部材の分解斜視図
【図９】同ダクト接続部材の断面図
【符号の説明】
１    本体
２    吹出口
３    本体側接続口
４    ダクト
４Ａ  ダクト
５    ダクト側接続口
５Ａ  ダクト側接続口
６    シャッター取付部
６Ａ  シャッター取付部
６Ｂ  シャッター取付部
７    外風防止用シャッター
８    シャッター取付部材
８Ａ  シャッター取付部材
１１  係合部
１１Ａ  係合部
１２Ａ  係合孔
１２Ｂ  係合孔
１４    係合手段
１４Ａ  係合手段
１５    ねじ
１６    螺合孔
【図１】
0003860442.tif 000002
【図２】
0003860442.tif 000003
【図３】
0003860442.tif 000004
【図４】
0003860442.tif 000005
【図５】
0003860442.tif 000006
【図６】
0003860442.tif 000007
【図７】
0003860442.tif 000008
【図８】
0003860442.tif 000009
【図９】
0003860442.tif 000010